(57)【特許請求の範囲】
【請求項１】
無彩色の色材および調色用の有彩色の色材を含む第１のインクと、有彩色インクである第２のインクとを吐出可能な記録ヘッドを用いて記録媒体に画像を記録する画像処理装置の画像処理方法であって、
前記記録ヘッドから吐出される前記第１のインクによりパッチ画像を記録する記録工程と、
前記記録工程において記録された前記パッチ画像の測色結果に基づいて、前記第１のインクを用いて記録される画像を表わす記録データのうち前記第１のインク及び前記第２のインクに対応する記録データを決定する決定工程と、を備え、
前記決定工程において、前記第１のインクに対応する記録データを変更しない、
ことを特徴とする画像処理方法。
【請求項２】
前記第１のインクに含まれる無彩色の色材は、ブラックの色材であることを特徴とする請求項１に記載の画像処理方法。
【請求項３】
前記第１のインクに含まれる有彩色の色材は、シアンとマゼンタの少なくとも一方の色材であり、
前記第２のインクは、シアンとマゼンタの少なくとも一方の色材を含むインクである、
ことを特徴とする請求項２に記載の画像処理方法。
【請求項４】
前記パッチ画像を測色した測色結果を取得する取得工程、をさらに備えることを特徴とする請求項１乃至３のいずれか１項に記載の画像処理方法。
【請求項５】
前記記録工程は、前記第２のインクを用いずに、前記第１のインクにより前記パッチ画像を記録することを特徴とする請求項１乃至４のいずれか１項に記載の画像処理方法。
【請求項６】
無彩色の色材および調色用の有彩色の色材を含む第１のインクと、有彩色インクである第２のインクとを吐出可能な記録ヘッドを用いて記録媒体に画像を記録する画像処理装置であって、
前記記録ヘッドから吐出される前記第１のインクによりパッチ画像を記録する記録手段と、
前記記録手段により記録された前記パッチ画像の測色結果に基づいて、前記第１のインクを用いて記録される画像を表わす記録データのうち前記第１のインク及び前記第２のインクに対応する記録データを決定する決定手段と、を備え、
前記決定手段は、前記第１のインクに対応する記録データを変更しない、
ことを特徴とする画像処理装置。
【発明の詳細な説明】
【技術分野】
【０００１】
本発明は、キャリブレーションによって印刷物の色調を調整する技術に関する。
【背景技術】
【０００２】
インクやトナー等の記録材を用いて印刷を行なう印刷装置（例えば、プリンタ）が知られている。例えば、インクジェット式のプリンタでは、機種個体差や経時変化、温度・湿度等の環境、等によりインクの吐出量にばらつきが生じる。このようなばらつきが生じると、出力画像の階調特性が不安定になり、カラーバランスが崩れることが多い。インクジェット方式の場合、Ｋ（ブラック）のみでグレースケール印刷を行なうと階調が低くなり粒状感が悪くなる。そのため、インクジェット方式のプリンタにおいては、Ｃ（シアン）、Ｍ（マゼンタ）、Ｙ（イエロー）、Ｋ（ブラック）の４色、又はこれらにＬｃ（ライトシアン）、Ｌｍ（ライトマゼンタ）を加えた６色により印刷を行なうので、このような影響を受けやすい。
【０００３】
しかし、これらの混色によってグレーを作成する場合、各色の濃度ばらつきによって色味に差異が生じてしまう。これに対処するために、従来、種々の調整法が提案されている。特許文献１には、ＣＭＹの単色濃度を合わせるだけでは、Ｎ次色であるグレーの色味がずれてしまうため、各色材が持つ他の色材に係わる色成分を考慮して補正テーブルを作成する技術について言及されている。また、特許文献２には、色材色単体だけでなく、グレーのキャリブレーションを実現するため、多次元ルックアップテーブル（以下、ＬＵＴと略す）、若しくは多次元ＬＵＴ＋出力γを調整することでキャリブレーションを行なう技術について言及されている。
【特許文献１】特開２００３−０６９８４４号
【特許文献２】特開２００３−１６９２１９号
【発明の開示】
【発明が解決しようとする課題】
【０００４】
一般に、グレーインクは、ブラックインクを一定の割合で希釈することによって得られるが、希釈されたグレーインクは分光反射率特性が平坦でないため、わずかな量のシアンインク、マゼンタインクを混ぜて分光反射率特性が平坦に近くなるように調色する。これは、調色インクなどと呼ばれ、この調色インクを使用することにより、グレーの色味を安定させ、ニュートラルに近いグレーを得る。
【０００５】
しかし、調色に際して、シアンインク、マゼンタインクの配合量がわずかでも違えば、グレーインクの分光反射率特性にばらつきが生じてしまう。そのため、例えば、グレーインクを交換した場合には、印刷物のグレーの色味が崩れてしまう。例えば、上述した特許文献１の技術では、ＣＭＹの濃度成分から補正テーブルを作成するため、グレーインクの僅かな分光反射率の違いまでは補正することができない。また、例えば、上述した特許文献２の技術では、グレーライン近辺のパッチを印刷してＬ＊ａ＊ｂ＊を測定し、多次元ＬＵＴを調整しているが、グレーインク自体の組成を考慮した補正は行なっていない。また、パッチを印刷し、それを確認することで補正を行なえばよいが、グレーインクが含まれる全ての色の組み合わせをパッチに含めるには、その手順が煩雑であり、グレーインクの分光反射率特性の違いを補正するのには不向きである。
【０００６】
そこで、本発明は上記問題点に鑑みてなされたものであり、調色記録材生成時の配合のずれによって生じる印刷物の色味のばらつきを抑えるようにした技術を提供することを目的とする。
【課題を解決するための手段】
【０００７】
上記目的を達成するため、本発明の一態様は、無彩色の色材および調色用の有彩色の色材を含む第１のインクと、有彩色インクである第２のインクとを吐出可能な記録ヘッドを用いて記録媒体に画像を記録する画像処理装置の画像処理方法であって、前記記録ヘッドから吐出される前記第１のインクによりパッチ画像を記録する記録工程と、前記記録工程において記録された前記パッチ画像の測色結果に基づいて、前記第１のインクを用いて記録される画像を表わす記録データのうち前記第１のインク及び前記第２のインクに対応する記録データを決定する決定工程と、を備え、前記決定工程において、前記第１のインクに対応する記録データを変更しない、ことを特徴とする。
【発明の効果】
【００１０】
本発明によれば、調色記録材の配合のずれによる分光反射率特性のばらつきを抑えることができるため、印刷物の色味のばらつきを抑えることができる。
【発明を実施するための最良の形態】
【００１１】
以下、本発明に係わる印刷システム、印刷装置、キャリブレーション方法の一実施の形態について添付図面を参照して詳細に説明する。なお、以下の実施形態において示す構成は一例に過ぎず、本発明は図示される構成に限定されるものではない。
【００１２】
（実施形態）
図１は、本発明に係わる印刷装置を適用したプリンタを配して構成した印刷システムの構成の一例を示す図である。なお、本実施形態では代表的な例として、分光測定器を搭載したインクジェット方式のプリンタを使用する。
【００１３】
印刷システムは、プリンタ１０と、ホストコンピュータ（以下、ホストＰＣと略す）２０とを具備して構成される。
【００１４】
ホストＰＣ２０は、ユーザが扱うコンピュータ装置である。ホストＰＣ２０は、例えば、ユーザの指示に基づいて印刷データを生成し、それをプリンタ１０に入力する。
【００１５】
プリンタ１０は、印刷データに基づいて用紙等の記録媒体上に画像を形成し印刷を行なう。プリンタ１０は、演算装置としての演算部１１０、出力装置としてのプリント部１２０、測定装置としての測定部１３０、を具備して構成される。
【００１６】
測定部１３０は、例えば、反射原稿や透過原稿の分光特性を測定する分光光度計などで構成される。なお、測定部１３０は、一般的に、プリントヘッドの側面に内蔵されて構成されることが多いが、プリンタ１０の外部に接続されて使用されるタイプのものであってもよい。
【００１７】
演算部１１０は、ユーザインターフェースとなる操作部（以下、ＵＩと言う場合もある）１１１と、ＣＰＵ１１２と、作業メモリ１１３と、記憶部１１４と、データ入出力部１１５とから構成される。
【００１８】
操作部１１１は、ユーザからの各種指示を装置内に入力したり、また、ユーザに対して各種情報を表示したりする。ＣＰＵ１１２は、記憶部１１４に格納されたプログラムに従ってプリント部１２０及び測定部１３０を制御する。このとき、作業メモリ１１３は、ワークエリアとして用いられる。
【００１９】
ここで、プリンタ１０で印刷を行なう場合の流れについて間単に説明する。
【００２０】
ユーザは、ホストＰＣ２０において、アプリケーションを操作し、文書、画像等を作成する。そして、そのデータに基づく印刷データをプリンタ１０に送信しプリンタ１０において印刷を行なう。この印刷に際して、ホストＰＣ２０では、印刷対象となる文書や画像等に対して所定の画像処理を実施した後、それを入力画像データとしてプリンタドライバ２１へ渡す。これを受けたプリンタドライバ２１は、入力画像データをプリンタ１０のインク色であるＣＭＹＫなどに色変換するとともに、ハーフトーン処理を行なう。そして、そのハーフトーン処理等を経た印刷データをプリンタ１０に送信する。プリンタ１０では、プリント部１２０において、ホストＰＣ２０から受信した印刷データに基づく画像を用紙上に形成し印刷を行なう。なお、本実施形態では、プリンタドライバ２１で色変換処理とハーフトーン処理とを実施する場合について説明するが、これら処理をプリンタ１０内で実施するようにしてもよい。
【００２１】
次に、図２を用いて、図１に示すプリンタ１０における動作の一例について説明する。ここでは、キャリブレーション処理について説明する。なお、キャリブレーション処理は、例えば、インクの交換時に実施される。このようにインクの交換時にキャリブレーション処理を実施することにより、ロットのばらつきを抑制させることができる。
【００２２】
ユーザは、まず、操作部１１１よりメニューを呼び出し、キャリブレーションの実行を指示する。なお、キャリブレーションの実行は、ホストＰＣ２０側から指示してもよい。ここで、プリンタ１０は、この指示を受けると（ステップＳ２０１）、給紙口と用紙種類とを選択するための画面を操作部１１１に表示する。給紙口は、プリンタの標準的な選択ロジックに基づいてデフォルト選択されている。プリンタ１０には、例えば、ロール紙を給紙するための給紙部や、背面手差し等の給紙部が設けられる。用紙種類も前述の給紙口と同様にデフォルト選択されている。なお、操作部１１１には、選択できる用紙の種類として、キャリブレーション実行に対応した用紙のみ表示される。
【００２３】
ここで、ユーザが、操作部１１１を介して給紙口及び用紙種類を選択すると、これを受けたプリンタ１０は、当該選択された用紙をチェックする。このチェックでは、例えば、選択された用紙がキャリブレーション実行対応用紙であるか否か等の判定が行われる。チェック後、プリンタ１０は、キャブリレーション実行確認画面を操作部１１１に表示する。
【００２４】
ここで、キャブリレーション実行確認画面を参照したユーザによりキャンセルが指示された場合（ステップＳ２０３でＮＯ）、プリンタ１０は、再度、ステップＳ２０１の処理に戻る。一方、ユーザによりＯＫが指示された場合には（ステップＳ２０３でＹＥＳ）、プリンタ１０は、プリント部１２０において、パッチチャートを印刷する（ステップＳ２０４）。パッチチャートは、例えば、図３に示すレイアウトで構成される。パッチチャート３０は、図３に示すように、複数のパッチ３１を含んで構成される。パッチ３１は、キャリブレーションの対象となる調色グレーインクにより濃度を段階的に変化させて印刷されたものである。このパッチ３１の印刷に用いられる調色グレーインクは、複数の記録材が配合された調色記録材であり、色調が所定の色度になるように調整されている。例えば、打ち込み量が５０％、１００％、１５０％のパッチが印刷される。この打ち込み量が５０％、１００％、１５０％のパッチは、それぞれパッチ形成時のインクの吐出量が異なっており、グレーの程度が異なっている。なお、キャリブレーション対象の調色記録材、すなわち、調色インクが複数ある場合は、インク色数に応じたパッチを印刷する必要がある。パッチ３１の生成及び印刷は、プリンタ本体内の演算部１１０とプリント部１２０とで行なわれる。また、パッチ３１のカウント値、解像度変換や誤差拡散等のパラメータ、画像処理テーブルは、プリンタ１０の記憶部１１４に記憶されている。プリンタ１０は、パッチ３１のカウント値に基づいたパッチチャートを生成し、それを印刷する。
【００２５】
パッチチャートの印刷が済むと、プリンタ１０は、当該パッチチャートにおける各パッチ３１を測定する。パッチの測定は、測定部１３０によって所定のシーケンスに従って実施される（ステップＳ２０５）。ステップＳ２０５の処理では、例えば、パッチの分光反射率が測定される。
【００２６】
プリンタ１０は、演算部１１０において、測定結果の出力値を所定の形式に変換し、その変換された出力値に基づいて補正ルックアップテーブル（以下、補正ＬＵＴと略す）を生成する。そして、その補正ＬＵＴを記憶部１１４に格納した後（ステップＳ２０６）、この処理を終了する。なお、詳細は後述するが、場合によっては、補正ＬＵＴが生成されない場合もある。
【００２７】
ここで、図４を用いて、上記ステップＳ２０６における補正ＬＵＴ生成処理の詳細について説明する。
【００２８】
補正ＬＵＴ生成処理が開始されると、プリンタ１０は、まず、補正が必要であるか否かの判定を行なう（ステップＳ３０１）。ここで、図５を用いて、この判定処理について説明する。図５には、５０％の打ち込み量で印刷されたグレーパッチを測定した際の分光反射率特性が示される。破線は、基準となる理想的な分光反射率（以下、理想分光反射率と言う）である。理想分光反射率は、記憶部１１４に予め記憶されている。実線は、実際に測定された分光反射率である。図５の場合、約４００ｎｍ〜５５０ｎｍの範囲で基準とのずれが生じている。ここで、基準となるグレーインク（以下、基準グレーインクと言う）で印刷を行なったパッチの理想分光反射率Ｔλと、測定された分光反射率Ｍλとの差ΔＤλを各波長において算出する（式１）。そして、「式２」で求められる積分値Ｉと所定の閾値Ｔｈとを比較する。この結果、積分値Ｉが閾値以下となれば、補正の必要はないと判定し、そうでない場合には、補正を行なうと判定する。なお、測定部１３０で測定できる波長λは、ｍｉｎ＜λ＜ｍａｘであり、分解能は、ｓｔｅｐで表される。
【００２９】
【数１】
0005254674.tif 000002
【００３０】
【数２】
0005254674.tif 000003
【００３１】
（λ＝ｍｉｎ，ｍｉｎ＋ｓｔｅｐ，・・・，ｍａｘ）
ステップＳ３０１における判定の結果、補正を行なう必要がなければ（ステップＳ３０１でＮＯ）、プリンタ１０は、そのままこの処理を終了する。補正を行なう必要があれば（ステップＳ３０１でＹＥＳ）、プリンタ１０は、ステップＳ３０２の処理に進む。
【００３２】
次に、プリンタ１０は、補正すべき色を決定する（ステップＳ３０２）。補正色は、分光反射率特性パターンを参照し、パターンの比較を行なうことにより決定される。なお、分光反射率特性パターンは、記憶部１１４に予め記憶されている。
【００３３】
ここで、記憶部１１４には、以下の手順で求められた分光反射率特性パターンが記憶されている。
【００３４】
基準グレーインクと、基準グレーインクに対してばらつきうる最大量のシアンインクを加えた調色インクとを所定の濃度で印刷する。打ち込み量は５０％とする。打ち込み量５０％で印刷されたそれぞれのインクの分光反射率Ｍλｃ＋を測定し、各波長において、基準グレーインクの分光反射率Ｔλと、調色インクの分光反射率Ｔλとの差ΔＤλｃ＋を算出する（式３）。
【００３５】
【数３】
0005254674.tif 000004
【００３６】
λ＝４２０ｎｍ〜７２０ｎｍの範囲において、ΔＤλｃ＋の最大値ΔＤλｃ＋ｍａｘと最小値ΔＤλｃ＋ｍｉｎとを求める。そして、ΔＤλｃ＋の最大値が１、最小値が０となるように正規化する。これにより、分光反射率特性パターンが得られる。同様に、マゼンタインクを増減させた場合やシアンインクとマゼンタインクとを増減させた場合の分光反射率特性パターンも求める。図６にシアンインクとマゼンタインクとの増減の組み合わせ例を示す。＋１〜−１がばらつきうる範囲である。図７ａ、図７ｂは、分光反射率特性パターンの一例を示している。
【００３７】
プリンタ１０では、このようにして作成された分光反射率特性パターンを使用して補正すべき色を決定する。この処理では、まず、上述した処理で測定された５０％打ち込み量のパッチの分光反射率Ｍλと、基準となる理想分光反射率Ｔλとの差を算出し、正規化した分光反射率特性パターン（分光反射率特性パターンＢとする）を生成する。そして、記憶部１１４に予め記憶されている分光反射率特性パターン（分光反射率特性パターンＡ）を参照し、分光反射率特性パターンＢとの比較を以下の「式４」に基づいて行なう。具体的には、補正すべき色、厳密には、補正すべき色の組み合わせは、「式４」により算出されたＩｐが最小となる特性パターンの色に決定される。
【００３８】
【数４】
0005254674.tif 000005
【００３９】
このようにして補正色が決定されると、続いて、プリンタ１０は、補正ＬＵＴを生成する。補正ＬＵＴは、記憶部１１４に予め記憶された補正量算出用ルックアップテーブル（以下、補正量算出用ＬＵＴと略す）に基づき生成される。
【００４０】
ここで、記憶部１１４には、以下の手順で生成された補正量算出用ＬＵＴが記憶されている。
【００４１】
プリンタ１０は、まず、プリント部１２０において、基準グレーインクを使用して補正量算出用パッチチャートを印刷する。補正量算出用パッチチャートの例を図８に示す。補正量算出用パッチチャート４０は、図８に示すように、複数のパッチ４１を含んで構成される。パッチ４１は、縦方向に沿って、基準グレーインクの打ち込み量が増加（５０％、１００％、１５０％）している。また、パッチ４１は、横方向に沿って、基準グレーインクに対するＣ（シアン）の打ち込み量が段階的に増加している。図８では、Ｃ（シアン）の打ち込み量を０〜４までの５段階に変化させている。打ち込み量の範囲は、インク調合による分光反射率ばらつきの範囲を包含するように設定しておく。
【００４２】
プリンタ１０は、測定部１３０において、補正量算出用パッチチャートの各パッチの分光反射率を測定し、前述した補正色の決定時と同様に、各波長における基準からの差ΔＤλを求め、「式２」により差の積分値Ｉを求める。そして、この積分値Ｉに対応するＣ（シアン）の打ち込み量（この場合、５段階）を補正量とし、図９に示す補正量算出用ＬＵＴを生成する。
【００４３】
補正ＬＵＴの生成に際しては、この補正量算出用ＬＵＴを用いて各基準グレーインクの打ち込み量（５０％、１００％、１５０％）に対応した補正量を求める。各打ち込み量に対応した補正量は、各打ち込み量（５０％、１００％、１５０％）のパッチを測定した測定値から求めた「式２」の積分値Ｉに基づき決める。そして、図１０に示すような補正ＬＵＴをＣ用、Ｍ用の２種類生成する。補正ＬＵＴにおける補正量は、ステップＳ３０２における処理で決定された補正すべき色の組み合わせの配合によって変化する。例えば、補正すべき色が（Ｃ、Ｍ）＝（＋１、−０．５）として配合されていれば、Ｃ（シアン）の補正ＬＵＴは、図９に示す補正量をそのまま使用して生成するが、Ｍ（マゼンタ）の補正ＬＵＴは、図９に示す補正量を半減させ、更に符号をマイナスにして生成する。なお、Ｃ（シアン）、Ｍ（マゼンタ）の配合の指標に「０」が設定されている場合は、その色での補正ＬＵＴは生成しない。
【００４４】
次に、補正ＬＵＴを適用して画像処理を行なう場合について説明する。なお、この処理の開始に際しては、補正ＬＵＴをプリンタ１０からホストＰＣ２０側に送信するなどして、ホストＰＣ２０が補正ＬＵＴを保持しておく必要がある。
【００４５】
ユーザは、まず、ホストＰＣ２０において、印刷を指示する。すると、プリンタ１０では、キャリブレーションが適用された印刷がなされる。キャリブレーションを適用した印刷は、例えば、ホストＰＣ２０内のプリンタドライバ２１において、画像処理する際に出力γテーブルの出力信号の値を変更することで行なわれる。なお、プリンタ１０の演算部１１０でこの処理を行なうようにしてもよい。
【００４６】
ここで、図１１を用いて、プリンタドライバ２１において実施される色変換処理について説明する。なお、上述した通り、この色変換処理をプリンタ１０側で行なうようにしてもよい。
【００４７】
色変換処理が開始されると、まず、カラーマッチング処理が実施される（ステップＳ５０１）。カラーマッチング処理は、入力画像データのＲ１Ｇ１Ｂ１信号を、プリンタ１０の色と合わせるために行なわれる。この処理により、入力画像データは、プリンタ固有のデバイスＲ２Ｇ２Ｂ２信号に変換される。なお、入力Ｒ１Ｇ１Ｂ１信号からデバイスＲ２Ｇ２Ｂ２信号への変換は、内蔵されている三次元ルックアップテーブル（以下、３ＤＬＵＴと略す）を参照し、四面体補間処理や立方体補間処理等の三次元補間処理などを実行することにより行なわれる。
【００４８】
色分解処理では、入力されたデバイスＲ２Ｇ２Ｂ２信号をプリンタ１０のインクに対応するＣ１Ｍ１Ｙ１Ｋ１Ｇｙ１信号に色分解する（ステップＳ５０２）。ここでは例示的に、Ｇｙインクを含む５色構成とするが、Ｇｙインクを含んでいればよくこの構成に限られるわけではない。デバイスＲ２Ｇ２Ｂ２信号からインクＣ１Ｍ１Ｙ１Ｋ１Ｇｙ１信号（多値データ）への変換も３ＤＬＵＴを用いて行なわれる。四面体補間処理や立方体補間処理等の三次元補間処理などによりプリンタ１０のインク色へ変換される。
【００４９】
出力γ補正処理では、ハーフトーン処理の処理内容とプリンタ１０のプリント部１２０との組み合わせに応じたγ特性を補正するために、ＣＭＹＫ信号の色材色データをγ補正する（ステップＳ５０３）。具体的には、出力γ補正テーブルに基づいて補正処理を実施し、Ｃ１Ｍ１Ｙ１Ｋ１Ｇｙ１信号の色材色データを、Ｃ２Ｍ２Ｙ２Ｋ２Ｇｙ２信号の多値データに変換して出力する。通常は、この処理の後、ハーフトーン処理へと進むことになるが、本実施形態では、ハーフトーン処理の前に、補正ＬＵＴ６０による分光補正処理を行なう。
【００５０】
分光補正処理では、補正ＬＵＴ６０を用いた分光補正処理が行なわれる（ステップＳ５０４）。この処理では、まず、補正ＬＵＴ６０が存在するか否かの判定が行なわれる。存在しなければ、補正処理を行なわずにそのままＣ２Ｍ２Ｙ２Ｋ２Ｇｙ２信号を出力する。また、補正対象外の用紙である場合にも、補正処理を行なわずにそのままＣ２Ｍ２Ｙ２Ｋ２Ｇｙ２信号を出力する。一方、補正を行なう場合は、ステップＳ５０３における出力γ補正処理後のＣ２Ｍ２Ｙ２Ｋ２Ｇｙ２信号の内、Ｇｙ２信号のみを補正ＬＵＴ（Ｃ用、Ｍ用２種類）に通し、補正値ＣαＭαを得る。そして、補正値適用処理の実施により補正値を加減算した後、Ｃ３Ｍ３Ｙ２Ｋ２Ｇｙ２信号を出力する（ステップＳ５０５）。
【００５１】
ハーフトーン処理では、Ｃ２Ｍ２Ｙ２Ｋ２Ｇｙ２信号、又はＣ３Ｍ３Ｙ２Ｋ２Ｇｙ２信号（多値データ）をプリンタ１０のプリント部１２０が表現可能な階調数に変換するための２値化処理を行なう（ステップＳ５０６）。なお、この処理は、色毎に行なわれる。ハーフトーン処理を経て得られたＣ４Ｍ４Ｙ３Ｋ３Ｇｙ４信号（２値データ）は、プリンタ１０へ転送される。これにより、プリンタ１０において、キャリブレーションが適用された印刷が実行される。
【００５２】
以上説明したように本実施形態によれば、グレーインクに配合された各色材の分光ばらつきを抑えることができるため、グレーインクの分光ばらつきを抑えた、グレーバランスの良好な画像を得ることができる。
【００５３】
以上が本発明の代表的な実施形態の一例であるが、本発明は、上記及び図面に示す実施形態に限定することなく、その要旨を変更しない範囲内で適宜変形して実施できるものである。
【００５４】
例えば、上述したプリンタ１０の代わりに、スキャナ部、プリンタ部等の機能を備えた装置（複写機などと称される）や、その構成にファックス部等の機能を加えた装置（複合機などと称される）、等を用いて上記説明した処理を実施してもよい。
【００５５】
また、上述した実施形態では、インクジェット方式のプリンタ１０を例に挙げて説明したが、インクジェット方式に限られず、例えば、電子写真方式などといった他の形式を採用してもよい。
【００５６】
また、上述した実施形態では、無彩色、具体的には、グレーの色味を調整する場合を例に挙げて説明したが、これに限られず、複数の記録材の配合により構成される色であればグレーの場合と同様に本発明を適用できる。
【００５７】
なお、本発明は、ソフトウェアのプログラムをシステム或いは装置に直接或いは遠隔から供給し、そのシステム或いは装置に内蔵されたコンピュータが該供給されたプログラムコードを読み出して実行することにより実施形態の機能が達成される場合をも含む。この場合、供給されるプログラムは実施形態で図に示したフローチャートに対応したコンピュータプログラムである。
【００５８】
したがって、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳ（Operating System）に供給するスクリプトデータ等の形態であってもよい。
【００５９】
コンピュータプログラムを供給するためのコンピュータ読み取り可能な記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６０】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６１】
また、本発明のプログラムを暗号化してＣＤ−ＲＯＭ等の記録媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００６２】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部又は全部を行ない、その処理によって前述した実施形態の機能が実現される。
【００６３】
更に、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵ（Central Processing Unit）などが実際の処理の一部又は全部を行なう。
【図面の簡単な説明】
【００６４】
【図１】本発明に係わる印刷装置を適用したプリンタを配して構成した印刷システムの構成の一例を示す図である。
【図２】図１に示すプリンタ１０における動作の一例を示すフローチャートである。
【図３】パッチチャートのレイアウトの一例を示す図である。
【図４】図２に示すステップＳ２０６における補正ＬＵＴ生成処理の一例を示すフローチャートである。
【図５】分光反射率特性の一例を示す図である。
【図６】シアンインクとマゼンタインクとの増減の組み合わせの一例を示す図である。
【図７】分光反射率特性パターンの一例を示す図である。
【図８】補正量算出用パッチチャートのレイアウトの一例を示す図である。
【図９】補正量算出用ＬＵＴの一例を示す図である。
【図１０】補正ＬＵＴの一例を示す図である。
【図１１】色変換処理の流れの一例を示す図である。
【符号の説明】
【００６５】
１０    プリンタ
２０    ホストＰＣ
２１    プリンタドライバ
１１０    演算部
１１１    操作部
１１２    ＣＰＵ
１１３    作業メモリ
１１４    記憶部
１１５    データ入出力部
１２０    プリント部
１３０    測定部
【図１】
0005254674.tif 000006
【図２】
0005254674.tif 000007
【図３】
0005254674.tif 000008
【図４】
0005254674.tif 000009
【図５】
0005254674.tif 000010
【図６】
0005254674.tif 000011
【図７】
0005254674.tif 000012
【図８】
0005254674.tif 000013
【図９】
0005254674.tif 000014
【図１０】
0005254674.tif 000015
【図１１】
0005254674.tif 000016